(57)【要約】【課題】省電力化と、高セキュリティ性とを実現する。【解決手段】本開示に係る通信機器１０は、他の通信機器３０の接近に応じて、第１の方式により、他の通信機器３０からの給電および他の通信機器３０との通信が可能な第１の通信部と、第１の方式よりも通信距離の長い第２の方式による他の通信機器３０との通信が可能な第１のモードと、第１のモードよりも消費電力が少なく、他の通信機器３０との通信を行えない第２のモードとを有する第２の通信部１８と、他の通信機器３０の接近に応じて所定の情報を取得して、第２の通信部１８を第２のモードから第１のモードに移行させる通信制御部とを備える。【選択図】図１
2020092395.tif 000002
【特許請求の範囲】
【請求項１】
他の通信機器の接近に応じて、第１の方式により、前記他の通信機器からの給電および前記他の通信機器との通信が可能な第１の通信部と、
前記第１の方式よりも通信距離の長い第２の方式による前記他の通信機器との通信が可能な第１のモードと、前記第１のモードよりも消費電力が少なく、前記他の通信機器との通信を行えない第２のモードとを有する第２の通信部と、
前記他の通信機器の接近に応じて所定の情報を取得して、前記第２の通信部を前記第２のモードから前記第１のモードに移行させる通信制御部と、を備える通信機器。
【請求項２】
請求項１に記載の通信機器において、
前記通信制御部は、前記第１の通信部を介して前記他の通信機器から前記第２の方式による前記他の通信機器との通信に必要な情報を前記所定の情報として受信し、前記第２の通信部を前記第１のモードに移行させる、通信機器。
【請求項３】
請求項１に記載の通信機器において、
前記第２の方式による前記他の通信機器との通信に必要な情報を演算する演算部を備え、
前記演算部は、前記他の通信機器の接近に応じて前記他の通信機器から電力が供給されると、前記情報を演算し、
前記通信制御部は、前記演算部により演算された情報を、前記第１の通信部を介して前記他の通信機器に送信し、前記第１の通信部を介して送信された情報を受信したことが前記他の通信機器から通知されると、前記第２の通信部を前記第１のモードに移行させる、通信機器。
【請求項４】
請求項１から３のいずれか一項に記載の通信機器において、
前記通信制御部は、前記他の通信機器との通信が終了すると、前記第２の通信部を前記第２のモードに移行させる、通信機器。
【請求項５】
請求項１から４のいずれか一項に記載の通信機器において、
前記通信制御部は、前記第２の通信部を前記第１のモードへ移行させた後、所定時間以内に前記他の通信機器との通信が行われない場合、前記第２のモードに移行させる、通信機器。
【請求項６】
請求項１から５のいずれか一項に記載の通信機器において、
物理量を測定するセンサ部を制御するセンサ制御回路をさらに有し、
前記第２の通信部は、前記センサ部を制御する制御情報を前記他の通信機器から受信し、
前記センサ制御回路は、前記第２の通信部が受信した制御情報に基づき、前記センサ部を制御する、通信機器。
【請求項７】
通信機器の制御方法であって、
前記通信機器は、
他の通信機器の接近に応じて、第１の方式により、前記他の通信機器からの給電および前記他の通信機器との通信が可能な第１の通信部と、
前記第１の方式よりも通信距離の長い第２の方式による前記他の通信機器との通信が可能な第１のモードと、前記第１のモードよりも消費電力が少なく、前記他の通信機器との通信を行えない第２のモードとを有する第２の通信部と、を備え、
前記他の通信機器の接近に応じて所定の情報を取得して、前記第２の通信部を前記第２のモードから前記第１のモードに移行させるステップと、
前記第２の通信部に前記他の通信機器との通信を行わせるステップと、を含む制御方法。
【発明の詳細な説明】
【技術分野】
【０００１】
本開示は、通信機器およびその制御方法に関する。
【背景技術】
【０００２】
無線通信機能を有する通信機器が、物理量を測定する測定装置と一体的に構成されることがある。このような構成によれば、測定装置の制御情報を他の通信機器から送信したり、測定装置の測定データを無線通信を介して、他の通信機器において取得したりすることができる。
【０００３】
特許文献１には、通信機器の省電力化を図る技術が開示されている。特許文献１に開示されている技術では、通信機器は、第１の通信方法、および、第１の通信方法よりも省電力の第２の通信方法で他の通信機器と通信可能である。そして、通信機器は、他の通信機器が第１の動作状態で動作している場合、第１の通信方法により他の通信機器と通信を行い、他の通信機器が第１の動作状態よりも消費電力の少ない第２の動作状態で動作している場合、第２の通信方法により他の通信機器と通信を行う。
【先行技術文献】
【特許文献】
【０００４】
【特許文献１】特開２０１６−０５３５４２号公報
【発明の概要】
【発明が解決しようとする課題】
【０００５】
上述したような通信機器には、省電力化と、高いセキュリティ性とが求められる。特許文献１に開示されている技術によれば、通信機器の省電力化を図ることができる。ただし、特許文献１に開示されている技術は、全ての通信機器が同じネットワーク（ＬＡＮ：Local Area Network）に属することが前提となっているため、適用可能な通信機器が限られてしまう。そのため、例えば、屋外に設置される通信機器に特許文献１に開示されている技術を適用し、省電力化を図ることは困難である。また、特許文献１に開示されている技術では、セキュリティ性については考慮されていない。
【０００６】
上記のような問題点に鑑みてなされた本開示の目的は、省電力化と、高セキュリティ性とを実現することができる通信機器およびその制御方法を提供することにある。
【課題を解決するための手段】
【０００７】
幾つかの実施形態に係る通信機器は、他の通信機器の接近に応じて、第１の方式により、前記他の通信機器からの給電および前記他の通信機器との通信が可能な第１の通信部と、前記第１の方式よりも通信距離の長い第２の方式による前記他の通信機器との通信が可能な第１のモードと、前記第１のモードよりも消費電力が少なく、前記他の通信機器との通信を行えない第２のモードとを有する第２の通信部と、前記他の通信機器の接近に応じて所定の情報を取得して、前記第２の通信部を前記第２のモードから前記第１のモードに移行させる通信制御部と、を備える。
このような構成を有する通信機器によれば、他の通信機器を通信機器に近づけることで、所定の情報が取得され、第２の通信部が省電力モードから通信モードに移行する。他の通信機器を通信機器に近づけることができるのは、通信機器に近づく権限を有する者に限られることが多い。そのため、権限を有さない者により不正に通信機器にアクセスされる可能性が低減されるので、高セキュリティ性を実現することができる。また、第２の通信部は、消費電力の少ない第２のモードを有するので、省電力化を実現することができる。
【０００８】
一実施形態において、前記通信制御部は、前記第１の通信部を介して前記他の通信機器から前記第２の方式による前記他の通信機器との通信に必要な情報を前記所定の情報として受信し、前記第２の通信部を前記第１のモードに移行させる。
このような構成により、他の通信機器と通信機器とを近接させることで、第２の方式による通信に必要な情報が他の通信機器と通信機器との間で送受信されるので、その情報が第三者に漏洩する可能性を低減し、セキュリティ性を向上させることができる。
【０００９】
一実施形態において、前記第２の方式による前記他の通信機器との通信に必要な情報を演算する演算部を備え、前記演算部は、前記他の通信機器の接近に応じて前記他の通信機器から電力が供給されると、前記情報を演算し、前記通信制御部は、前記演算部により演算された情報を、前記第１の通信部を介して前記他の通信機器に送信し、前記第１の通信部を介して送信された情報を受信したことが前記他の通信機器から通知されると、前記第２の通信部を前記第１のモードに移行させる。
このような構成により、他の通信機器と通信機器とを近接させ、他の通信機器から通信機器に電力が供給されることで、演算回路において第２の方式による通信に必要な情報が演算されるので、なりすましによる第三者が持つ他の通信機器による不正なアクセスを通信機器が受けることを防ぎ、セキュリティ性を向上させることができる。
【００１０】
一実施形態において、前記通信制御部は、前記他の通信機器との通信が終了すると、前記第２の通信部を前記第２のモードに移行させる。
このような構成により、第２の通信部は、他の通信機器との通信が終了後、速やかに第２のモードに移行することができるので、省電力化を実現することができる。
【００１１】
一実施形態において、前記通信制御部は、前記第２の通信部を前記第１のモードへ移行させた後、所定時間以内に前記他の通信機器との通信が行われない場合、前記第２のモードに移行させる。
このような構成により、第２の通信部は、他の通信機器との通信が失敗した場合、速やかに第２のモードに移行することができるので、省電力化を実現することができる。
【００１２】
一実施形態において、通信機器は、物理量を測定するセンサ部を制御するセンサ制御回路をさらに有し、前記第２の通信部は、前記センサ部を制御する制御情報を前記他の通信機器から受信し、前記センサ制御回路は、前記第２の通信部が受信した制御情報に基づき、前記センサ部を制御する。
このような構成により、通信距離が長い第２の方式による通信により他の通信機器から通信機器に制御情報を送信してセンサ部を制御することができるので、簡易にセンサ部を制御することができる。
【００１３】
幾つかの実施形態に係る通信機器の制御方法は、通信機器の制御方法であって、前記通信機器は、他の通信機器の接近に応じて、第１の方式により、前記他の通信機器からの給電および前記他の通信機器との通信が可能な第１の通信部と、前記第１の方式よりも通信距離の長い第２の方式による前記他の通信機器との通信が可能な第１のモードと、前記第１のモードよりも消費電力が少なく、前記他の通信機器との通信を行えない第２のモードとを有する第２の通信部と、を備え、前記他の通信機器の接近に応じて所定の情報を取得して、前記第２の通信部を前記第２のモードから前記第１のモードに移行させるステップと、前記第２の通信部に前記他の通信機器との通信を行わせるステップと、を含む。
このような構成を有する制御方法によれば、他の通信機器を通信機器に近づけることで、所定の情報が取得され、第２の通信部が省電力モードから通信モードに移行する。他の通信機器を通信機器に近づけることができるのは、通信機器に近づく権限を有する者に限られることが多い。そのため、権限を有さない者により不正に通信機器にアクセスされる可能性が低減されるので、高セキュリティ性を実現することができる。また、第２の通信部は、消費電力の少ない第２のモードを有するので、省電力化を実現することができる。
【発明の効果】
【００１４】
本開示に係る通信機器およびその制御方法によれば、省電力化と、高セキュリティ性とを実現することができる。
【図面の簡単な説明】
【００１５】
【図１】本開示の第１の実施形態に係る通信機器の構成例を示す図である。
【図２】図１に示す通信機器の動作の一例を示すフローチャートである。
【図３】図１に示す通信機器および他の通信機器の動作の一例を示すシーケンス図である。
【図４】図１に示す通信機器および他の通信機器の動作の別の一例を示すシーケンス図である。
【図５】図１に示す通信機器および他の通信機器の動作のさらに別の一例を示すシーケンス図である。
【図６】本開示の第２の実施形態に係る通信機器の構成例を示す図である。
【図７】本開示の第２の実施形態に係る通信機器の他の構成例を示す図である。
【図８】比較例に係る通信機器の構成例を示す図である。
【図９】図８に示す通信機器の動作の一例を示すフローチャートである。
【発明を実施するための形態】
【００１６】
以下、本開示を実施するための形態について、図面を参照しながら説明する。各図中、同一符号は、同一または同等の構成要素を示している。
【００１７】
（第１の実施形態）
まず比較のために、図８を参照して、比較例に係る通信機器１００の構成例を説明する。
【００１８】
図８に示す通信機器１００は、通信部１０１と、演算回路１０２と、記憶媒体１０３と、電源回路１０４と、電池１０５とを備える。
【００１９】
通信部１０１は、ＮＦＣ（Near Field Communication）あるいはＢｌｕｅｔｏｏｔｈ（登録商標）などの通信方式により、他の通信機器３０と近距離無線通信を行う。
【００２０】
演算回路１０２は、通信部１０１から送信される信号の暗号化、および、通信部１０１が受信した信号の復号など、通信部１０１が他の通信機器３０と通信を行うために必要な種々の演算を行う。
【００２１】
記憶媒体１０３は、演算回路１０２が演算を行うために必要な種々の情報、および、通信部１０１が受信した情報などを記憶する。
【００２２】
電源回路１０４は、電池１０５の電力を通信部１０１および演算回路１０２に供給する。電源回路１０４からの電力供給により、通信部１０１および演算回路１０２は、他の通信機器３０との通信を行うために駆動される。このように、通信機器１００は、電池１０５の電力により駆動される電池駆動型通信機器である。電池駆動型通信機器では、電池１０５の交換などの手間を省くために、省電力化が求められる。
【００２３】
図９は、図８に示す通信機器１００の動作の一例を示すフローチャートである。
【００２４】
通信機器１００は、通信部１０１および演算回路１０２による通信機能により他の通信機器３０との通信が可能な通信モードと、通信モードよりも消費電力の少ない省電力モードとを有している。省電力モードでは、通信部１０１および演算回路１０２などでの消費電力が通信モード時よりも少なくなるように、例えば、通信部１０１および演算回路１０２の動作の一部または全部を停止するといった処理が行われる。なお、以下では、省電力モードでは、通信部１０１および演算回路１０２への電力供給が停止され、通信部１０１および演算回路１０２は完全に動作を停止しているものとする。
【００２５】
通信機器１００は、省電力モードがデフォルトのモードとして設定される。つまり、通信機器１００は、他の通信機器３０と通信を行う場合以外は、省電力モードとなる。通信機器１００は、予め定められたタスクを実行する場合、および、通信機器１００の設定などのために外部トリガーが与えられた場合に、省電力モードから通信モードに移行する。図９においては、外部トリガーが与えられた場合の通信機器１００の動作を説明する。
【００２６】
通信機器１００は、省電力モードがデフォルトのモードとして設定されているため、初期状態では省電力モードである。通信機器１００が外部トリガーの発生を検出すると（ステップＳ１０１）、電源回路１０４は、通信部１０１および演算回路１０２に電力を供給する。電源回路１０４からの電力の供給により、通信部１０１および演算回路１０２による通信機能が起動される（ステップＳ１０２）。通信機能の起動により、通信機器１００は、省電力モードから通信モードに移行する。
【００２７】
通信モードに移行すると、演算回路１０２は、通信部１０１を介した他の通信機器３０との通信が確立されたか否かを判定する（ステップＳ１０３）。
【００２８】
演算回路１０２は、他の通信機器３０との通信が確立されたと判定すると（ステップＳ１０３：Ｙｅｓ）、通信部１０１を介して他の通信機器３０との間でデータの送受信を行う（ステップＳ１０４）。データの送受信が終了すると、通信機器１００は、省電力モードに移行し、処理を終了する。
【００２９】
通信機器１００は、所定時間以上、他の通信機器３０との通信が確立されないと判定されると（ステップＳ１０３：Ｎｏ）、省電力モードに移行し、処理を終了する。
【００３０】
上述したように、通信部１０１は、ＮＦＣあるいはＢｌｕｅｔｏｏｔｈなどの通信方式により、他の通信機器３０と近距離無線通信を行う。ＮＦＣでは、例えば、他の通信機器３０を通信機器１００にかざすような操作により、他の通信機器３０と通信機器１００との間で通信が行われる。すなわち、ＮＦＣでは、他の通信機器３０と通信機器１００とを近接させた状態で通信が行われる。ＮＦＣの通信距離は、例えば、数ｃｍ程度である。また、ＮＦＣでは、他の通信機器３０から通信機器１００への電力供給が可能である。
【００３１】
Ｂｌｕｅｔｏｏｔｈは、ＮＦＣと比べて通信距離が長く、通信機器１００と他の通信機器３０とがＮＦＣにより通信を行う場合よりも離れた状態でも通信が可能である。以下では、通信部１０１が、ＮＦＣによる通信を行う場合と、Ｂｌｕeｔｏｏｔｈによる通信を行う場合とを分けて説明する。
【００３２】
まず、通信部１０１がＮＦＣによる通信を行う場合について説明する。ＮＦＣでは、上述したように、他の通信機器３０から通信機器１００への電力供給が可能である。通信機器１００は、他の通信機器３０からの電力供給を外部トリガーとして、省電力モードから通信モードに移行することができる。そのため、外部トリガーを検出するための処理が不要となるので、当該処理に要する電力が削減されて省電力化が可能である。また、上述したように、ＮＦＣでは、通信機器１００と他の通信機器３０とを近接させる必要がある。一般に、例えば、プラントなどに設置された通信機器１００に近づく権限を有さない者が他の通信機器３０を通信機器１００に近接させるのは困難である。そのため、ＮＦＣでは、セキュリティ性を高めることができる。
【００３３】
ただし、ＮＦＣでは、通信機器１００と他の通信機器３０とを近接させた状態で通信が行われるため、通信機器１００が高所あるいは手の届きにくい場所などに設置されている場合、通信を行うのが困難であるという問題がある。また、通信機器１００と他の通信機器３０とを近接させた状態では、作業者が他の通信機器３０を操作するのは困難であることがある。そのため、例えば、他の通信機器３０から通信機器１００にデータを送信する場合、他の通信機器３０において送信するデータを設定する、他の通信機器３０を通信機器１００に近接させる、データの送信後、他の通信機器３０を通信機器１００から離す、他の通信機器３０の画面上でデータ送信の結果を確認するといった手順が必要となり、操作性・利便性に欠けてしまう。また、ＮＦＣは、Ｂｌｕｅｔｏｏｔｈと比べて、通信速度が低く、送受信可能なデータ量も少ない。そのため、ＮＦＣでは、大量のデータを送受信するのは困難である。
【００３４】
次に、通信部１０１がＢｌｕｅｔｏｏｔｈによる通信を行う場合について説明する。上述したように、ＢｌｕｅｔｏｏｔｈはＮＦＣよりも通信距離が長い。そのため、通信機器１００が高所あるいは手の届きにくい場所などに設置されている場合にも、通信機器１００との通信が容易である。また、通信機器１００と他の通信機器３０とを近接させる必要が無いので、例えば、他の通信機器３０の画面を見ながらの操作が可能であり、利便性・操作性に優れる。また、Ｂｌｕｅｔｏｏｔｈは、ＮＦＣと比べて高速・大容量通信が可能である。そのため、Ｂｌｕｅｔｏｏｔｈにより、通信機器１００と他の通信機器３０との間の通信が行われることが望ましい場合が多い。
【００３５】
ただし、Ｂｌｕｅｔｏｏｔｈでは、通信機器１００は、他の通信機器３０からの電波を常に受信できる状態にしておく必要があり、消費電力の増大を招いてしまう。また、Ｂｌｕｅｔｏｏｔｈでは、通信に必要な情報を通信機器間でやり取りする必要があるが、その情報が第三者に漏洩し、通信機器１００への不正アクセスを受けるおそれがある。
【００３６】
このように、比較例に係る通信機器１００では、特に、高速・大容量通信が求められる場合に、または他の通信機器３０の操作が容易ではない場合に、省電力化および高セキュリティ性を実現することが困難であるという問題がある。
【００３７】
次に、図１を参照して、本開示の第１の実施形態に係る通信機器１０の構成例について説明する。本実施形態に係る通信機器１０は、他の通信機器３０と通信を行う。
【００３８】
図１に示す通信機器１０は、ＮＦＣ通信部１１と、タイミング生成回路１２と、Ｂｌｕｅｔｏｏｔｈ通信部１３と、演算回路１４と、記憶媒体１５と、電源回路１６と、電池１７とを備える。ＮＦＣ通信部１１は、第１の通信部の一例である。タイミング生成回路１２は、通信制御部の一例である。演算回路１４は、演算部の一例である。Ｂｌｕｅｔｏｏｔｈ通信部１３および演算回路１４は、第２の通信部１８を構成する。なお、本実施形態においては、演算回路１４がＢｌｕｅｔｏｏｔｈ通信部１３とともに第２の通信部１８を構成する例を用いて説明するが、これに限られるものではない。
【００３９】
ＮＦＣ通信部１１は、他の通信機器３０と近距離無線通信を行う。具体的には、ＮＦＣ通信部１１は、他の通信機器３０の接近に応じて、第１の方式としてのＮＦＣにより、他の通信機器３０からの給電および他の通信機器３０との通信を行う。ＮＦＣによる通信は、パッシブな通信（他の通信機器３０から電力を供給することで、通信機器１０の電池１７の電力を消費しない通信）である。
【００４０】
タイミング生成回路１２は、第２の通信部１８を構成するＢｌｕｅｔｏｏｔｈ通信部１３および演算回路１４を起動するタイミングを制御する。タイミング生成回路１２の詳細については後述する。
【００４１】
Ｂｌｕｅｔｏｏｔｈ通信部１３は、ＮＦＣよりも通信距離の長いＢｌｕｅｔｏｏｔｈ（第２の方式）による他の通信機器３０との通信を行う。Ｂｌｕｅｔｏｏｔｈによる通信は、アクティブな通信（通信機器１０の電池１７の電力を消費する通信）である。
【００４２】
ＮＦＣの通信距離は、例えば、数ｃｍ程度である。一方、Ｂｌｕｅｔｏｏｔｈの通信距離は、例えば、数ｍから数十ｍ程度である。したがって、Ｂｌｕｅｔｏｏｔｈによる通信が行われる場合には、通信機器１０と他の通信機器３０とを近接させる必要はない。
【００４３】
演算回路１４は、Ｂｌｕｅｔｏｏｔｈ通信部１３から送信される信号の暗号化、および、Ｂｌｕｅｔｏｏｔｈ通信部１３が受信した信号の復号など、Ｂｌｕｅｔｏｏｔｈ通信部１３が他の通信機器３０と通信を行うのに必要な種々の演算を行う。
【００４４】
上述したように、Ｂｌｕｅｔｏｏｔｈ通信部１３および演算回路１４は、第２の通信部１８を構成する。第２の通信部１８は、２つの動作モードを有する。１つ目のモードは、Ｂｌｕｅｔｏｏｔｈよる他の通信機器３０との通信が可能な通信モード（第１のモード）である。２つ目のモードは、通信モードよりも消費電力が少なく、他の通信機器３０との通信を行えない省電力モード（第２のモード）である。例えば、省電力モードにおいて、他の通信機器３０とＢｌｕｅｔｏｏｔｈによる通信を行えないとは、通信を行うのに必要な情報が、通信機器１０と他の通信機器３０との間で共有されていないために通信を行えないことを指す。省電力モードでは、Ｂｌｕｅｔｏｏｔｈ通信部１３および演算回路１４などでの電力消費が通信モード時よりも少なくなるように、例えば、Ｂｌｕｅｔｏｏｔｈ通信部１３および演算回路１４の動作の一部または全部を停止するといった処理が行われる。
【００４５】
第２の通信部１８は、デフォルトの動作モードとして、省電力モードが設定される。したがって、第２の通信部１８は通常、省電力モードで動作する。第２の通信部１８は、予め定められたタスクを実行する場合、および、通信機器１０の設定などのために外部トリガーが与えられた場合に、省電力モードから通信モードに移行する。
【００４６】
タイミング生成回路１２は、他の通信機器３０の接近に応じて他の通信機器３０から供給された電力を、第２の通信部１８（Ｂｌｕｅｔｏｏｔｈ通信部１３および演算回路１４）に供給して起動させる。そして、タイミング生成回路１２は、他の通信機器３０が通信機器１０に接近したことを外部トリガーとして、第２の通信部１８を省電力モードから通信モードに移行させる。具体的には、タイミング生成回路１２は、他の通信機器３０の通信機器１０への接近に応じて、所定の情報（通信機器１０と他の通信機器３０との間でのＢｌｕｅｔｏｏｔｈよる通信に必要な情報）を取得し、第２の通信部１８を省電力モードから通信モードに移行させる。
【００４７】
記憶媒体１５は、演算回路１４が演算を行うのに必要な種々の情報、および、ＮＦＣ通信部１１あるいはＢｌｕｅｔｏｏｔｈ通信部１３が他の通信機器３０から受信した情報などを記憶する。
【００４８】
電源回路１６は、電池１７の電力を第２の通信部１８（Ｂｌｕｅｔｏｏｔｈ通信部１３および演算回路１４）に供給する。上述したように、第２の通信部１８は、他の通信機器３０の接近を外部トリガーとして、省電力モードから通信モードに移行する。Ｂｌｕｅｔｏｏｔｈ通信部１３および演算回路１４は、通信モードへの移行後、他の通信機器３０と通信を行う間は、電源回路１６からの電力供給により駆動される。このように、通信機器１０は、電池１７の電力により駆動される電池駆動型通信機器である。
【００４９】
本実施形態に係る通信機器１０においては、他の通信機器３０を通信機器１０に近づけることで、Ｂｌｕｅｔｏｏｔｈよる通信に必要な情報が取得され、第２の通信部１８が省電力モードから通信モードに移行する。一般に、他の通信機器３０を通信機器１０に近づけて第２の通信部１８による通信に必要な情報を授受することができるのは、通信機器１０に近づく権限を有する者に限られることが多い。そのため、本実施形態に係る通信機器１０は、権限を有さない者により不正に通信機器１０にアクセスされる可能性が低減されるので、高セキュリティ性を実現することができる。また、第２の通信部１８は、他の通信機器３０の接近に応じて第２の通信部１８による通信に必要な情報が取得されることで、省電力モードから通信モードに移行する。そのため、第２の通信部１８は、他の通信機器３０からの電波を常に受信できる状態にある必要が無いので、省電力化を実現することができる。
【００５０】
図２は、本実施形態に係る通信機器１０の制御方法を説明するための図であり、通信機器１０の動作の一例を示すフローチャートである。
【００５１】
上述したように、他の通信機器３０は、ＮＦＣによる通信およびＢｌｕｅｔｏｏｔｈによる通信が可能である。ＮＦＣでは、他の通信機器３０のアンテナと、通信機器１０のアンテナとの電磁誘導による結合を介して、給電および通信が行われる。他の通信機器３０は、例えば、所定の時間間隔で電波を出力する。この電波は、他の通信機器３０と通信機器１０とが通信を開始するための信号（以下、「ウェイクアップ信号」と称する）として機能する。通信機器１０は、他の通信機器３０から出力された電波を受けると、電磁誘導により電力が誘起される（他の通信機器３０から電力が供給される）。
【００５２】
他の通信機器３０が通信機器１０に近づけられ、他の通信機器３０から出力されている電波（ウェイクアップ信号）を受信すると、ＮＦＣ通信部１１は、他の通信機器３０から電力が供給され（ステップＳ１１）、他の通信機器３０と通信可能となる。
【００５３】
ＮＦＣ通信部１１は、他の通信機器３０から送信される、他の通信機器３０とのＢｌｕｅｔｏｏｔｈによる通信に必要な鍵情報（ＩＤおよびキーなど）を受信する（ステップＳ１２）。ＮＦＣによる通信により、他の通信機器３０と通信機器１０との間で鍵情報を送受信することにより、通信機器１０と他の通信機器３０との間で鍵情報を共有してＢｌｕｅｔｏｏｔｈによる通信が可能となり、鍵情報が第三者に漏洩する可能性を低減し、セキュリティ性を向上させることができる。
【００５４】
次に、タイミング生成回路１２は、鍵情報を受信したことにより他の通信機器３０と鍵情報を共有することができ、第２の通信部１８を省電力モードから通信モードに移行させる（ステップＳ１３）。具体的には、タイミング生成回路１２は、他の通信機器３０からの電力を、第２の通信部１８（Ｂｌｕｅｔｏｏｔｈ通信部１３および演算回路１４）に供給し、第２の通信部１８を起動する。そして、タイミング生成回路１２は、ＮＦＣ通信部１１から出力された鍵情報を演算回路１４に出力する。演算回路１４は、タイミング生成回路１２から出力された鍵情報を記憶媒体１５に記憶させる。こうすることで、タイミング生成回路１２は、第２の通信部１８を、他の通信機器３０とのＢｌｕｅｔｏｏｔｈによる通信が可能な通信モードに移行させる。
【００５５】
通信モードへの移行後、演算回路１４は、他の通信機器３０とのＢｌｕｅｔｏｏｔｈによる通信が確立されたか否かを判定する（ステップＳ１４）。
【００５６】
他の通信機器３０との通信が確立されたと判定すると（ステップＳ１４：Ｙｅｓ）、演算回路１４は、Ｂｌｕｅｔｏｏｔｈ通信部１３を介して他の通信機器３０との間でデータの送受信を行う（ステップＳ１５）。データの送受信が終了すると、タイミング生成回路１２は、第２の通信部１８を省電力モードに移行させ、処理を終了する。例えば、第２の通信部１８は、複数のパケットからなる一群のパケット列の送受信が終了すると、省電力モードに移行してもよい。
【００５７】
所定時間以上、他の通信機器３０との通信が確立されないと判定されると（上記のパケット列を構成する一のパケットの通信と次パケットの通信との間が所定時間以上経過した場合も含む）（ステップＳ１４：Ｎｏ）、タイミング生成回路１２は、第２の通信部１８を省電力モードに移行させ、処理を終了する。
【００５８】
図３は、本実施形態に係る通信機器１０および他の通信機器３０の動作の一例を示すシーケンス図である。
【００５９】
上述したように、他の通信機器３０は、例えば、所定の時間間隔でウェイクアップ信号を送信する（ステップＳ２１）。他の通信機器３０が通信機器１０に近づけられ、ウェイクアップ信号が通信機器１０のＮＦＣ通信部１１で受信されると、通信機器１０に電力が供給される。タイミング生成回路１２は、他の通信機器３０から供給された電力を、第２の通信部１８に供給し、第２の通信部１８を起動する（ステップＳ２２）。また、タイミング生成回路１２は、ＮＦＣ通信部１１を介して他の通信機器３０に、第２の通信部１８が起動したことを通知する（ステップＳ２３）。
【００６０】
通信機器１０の第２の通信部１８が起動したことが通知されると、他の通信機器３０は、鍵情報（キーおよびＩＤ）をＮＦＣによる通信により通信機器１０に送信する（ステップＳ２４）。
【００６１】
ＮＦＣ通信部１１は、他の通信機器３０から送信されてきた鍵情報（キーおよびＩＤ）を受信し、タイミング生成回路１２に出力する。タイミング生成回路１２は、その鍵情報を演算回路１４に出力する。演算回路１４は、タイミング生成回路１２から出力された鍵情報を記憶媒体１５に記憶する（ステップＳ２５）。鍵情報が記憶媒体１５に記憶されることで、第２の通信部１８の通信モードへの移行が完了する（ステップＳ２６）。
【００６２】
通信モードへの移行が完了すると、演算回路１４は、Ｂｌｕｅｔｏｏｔｈ通信部１３を介して、通信モードへの移行が完了したことを他の通信機器３０に通知する（ステップＳ２７）。
【００６３】
通信モードへの移行を完了したことが通信機器１０から通知されると、他の通信機器３０は、通信機器１０を制御するためのデータなどを、Ｂｌｕｅｔｏｏｔｈによる通信により送信する（ステップＳ２８）。
【００６４】
Ｂｌｕｅｔｏｏｔｈ通信部１３は、他の通信機器３０から送信されてきたデータを受信する（ステップＳ２９）。演算回路１４は、Ｂｌｕｅｔｏｏｔｈ通信部１３が受信したデータを記憶媒体１５に記憶する（ステップＳ３０）。次に、演算回路１４は、Ｂｌｕｅｔｏｏｔｈ通信部１３を介して、通信が成功したことを他の通信機器３０に通知する（ステップＳ３１）。
【００６５】
通信が成功したことを通信機器１０から通知されると、他の通信機器３０は、通信機器１０とのＢｌｕｅｔｏｏｔｈによる通信を切断する（ステップＳ３２）。また、タイミング生成回路１２は、通信が成功したことが他の通信機器３０に通知されると、第２の通信部１８を省電力モードに移行させる（ステップＳ３３）。すなわち、タイミング生成回路１２は、他の通信機器３０との通信が終了すると、第２の通信部１８を省電力モードに移行する。こうすることで、他の通信機器３０との通信が終了後、速やかに第２の通信部１８を省電力モードに移行することができるので、省電力化を実現することができる。この後、通信機器１０は、他の通信機器３０からウェイクアップ信号を受信した場合（ステップＳ２１）、ステップＳ２２以降の処理を行う。
【００６６】
図３においては、Ｂｌｕｅｔｏｏｔｈによる通信機器１０と他の通信機器３０との通信が成功した例を用いて説明したが、Ｂｌｕｅｔｏｏｔｈによる通信が失敗することもある。Ｂｌｕｅｔｏｏｔｈによる通信が失敗した場合の、通信機器１０および他の通信機器３０の動作の一例を図４に示すシーケンス図を参照して説明する。図４において、図３と同様の処理については同じ符号を付し、説明を省略する。
【００６７】
図４のシーケンス図において、ステップＳ２１からステップＳ２７までは、図３と同様である。他の通信機器３０は、第２の通信部１８の通信モードへの移行が完了したことが通知されると（ステップＳ２７）、データをＢｌｕｅｔｏｏｔｈによる通信により送信する。ここで、図４においては、他の通信機器３０からのデータの送信が失敗した（通信機器１０にデータが受信されなかった、またはデータの一部しか受信されなかった）とする。他の通信機器３０は、通信が成功したことが通信機器１０から通知されない場合、Ｂｌｕｅｔｏｏｔｈによるデータの通信を繰り返す（ステップＳ３４）。
【００６８】
タイミング生成回路１２は、第２の通信部１８の通信モードへの移行の完了後、他の通信機器３０からデータを受信しない状態のまま所定時間が経過すると（ステップＳ３５）、第２の通信部１８を省電力モードに移行させる（ステップＳ３６）。すなわち、タイミング生成回路１２は、第２の通信部１８を通信モードへ移行させた後、所定時間以内に他の通信機器３０との通信が行われない場合、第２の通信部１８を省電力モードに移行させる。こうすることで、他の通信機器３０との通信が失敗した場合、第２の通信部１８を速やかに省電力モードに移行することができるので、省電力化を実現することができる。
【００６９】
他の通信機器３０は、通信モードへの移行の完了後、所定時間が経過しても、通信が成功したことが通信機器１０から通知されない場合、通信機器１０とのＢｌｕｅｔｏｏｔｈによる通信を切断する（ステップＳ３７）。
【００７０】
図３および図４に示す例においては、鍵情報が他の通信機器３０から通信機器１０に送信される例を用いて説明したが、本開示はこの例に限られるものではない。通信機器１０が、他の通信機器３０から鍵情報を受信しないで、自ら鍵情報を演算し、他の通信機器３０に送信してもよい。通信機器１０が鍵情報を演算して他の通信機器３０に送信する場合の、通信機器１０および他の通信機器３０の動作の一例を図５を参照して説明する。図５において、図３と同様の処理については同じ符号を付し、説明を省略する。
【００７１】
図５のシーケンス図において、ステップＳ２１からステップＳ２７までは、図３と同様である。演算回路１４は、タイミング生成回路１２から電力が供給されて起動すると、鍵情報（キーおよびＩＤ）を演算する（ステップＳ４１）。演算回路１４は、演算したキーおよびＩＤをタイミング生成回路１２に出力する。タイミング生成回路１２は、演算回路１４により演算されたキーおよびＩＤを、ＮＦＣ通信部１１を介して他の通信機器３０に送信する（ステップＳ４２）。
【００７２】
他の通信機器３０は、通信機器１０から送信されてきたキーおよびＩＤを受信し、記憶する。そして、他の通信機器３０は、キーおよびＩＤを受信したことをＮＦＣによる通信により、通信機器１０に通知する（ステップＳ４３）。
【００７３】
タイミング生成回路１２は、キーおよびＩＤを受信したことが他の通信機器３０から通知されると、キーおよびＩＤが他の通信機器３０に受信されたことを演算回路１４に通知する。演算回路１４は、演算したキーおよびＩＤが他の通信機器３０に受信されたことが通知されると、演算したキーおよびＩＤを記憶媒体１５に記憶させる（ステップＳ４４）。このように、通信機器１０と他の通信機器３０との間でキーおよびＩＤが共有され、キーおよびＩＤが記憶媒体１５に記憶されることで、キーおよびＩＤの取得が完了したことになる。こうすることで、第２の通信部１８の通信モードへの移行が完了する（ステップＳ４５）。以下、図３を参照して説明したのと同様の処理により、通信機器１０と他の通信機器３０との間で、ステップＳ２７以降の処理が行われる。なお、通信機器１０は、図４のステップＳ３４の場合におけるステップＳ３５およびＳ３６の処理も同様に行われる。
【００７４】
上述したように、Ｂｌｕｅｔｏｏｔｈによる通信の通信距離は、ＮＦＣによる通信の通信距離も長い。そのため、通信機器１０に近づく権限を有さない者が、通信機器１０から離れた状態で他の通信機器３０を操作して鍵情報を通信機器１０に送信し、通信機器１０との通信を行う、いわゆる、なりすましが行われる可能性がある。
【００７５】
図５に示す例においては、他の通信機器３０が通信機器１０に近接され、ウェイクアップ信号が通信機器１０により受信されることで、演算回路１４により鍵情報が演算される。そのため、他の通信機器３０から送信された鍵情報を用いないので、上述したような、なりすましが行われることを防ぎ、セキュリティ性を高めることができる。
【００７６】
このように本実施形態においては、通信機器１０は、他の通信機器３０の接近に応じて、ＮＦＣによる他の通信機器３０からの給電および他の通信機器３０との通信が可能なＮＦＣ通信部１１を備える。また、通信機器１０は、ＮＦＣよりも通信距離の長いＢｌｕｅｔｏｏｔｈによる他の通信機器３０との通信が可能な通信モードと、通信モードよりも消費電力が少なく、他の通信機器３０との通信を行えない省電力モードとを有するＢｌｕｅｔｏｏｔｈ通信部１３を備える。また、通信機器１０は、他の通信機器３０の接近に応じて、所定の情報（Ｂｌｕｅｔｏｏｔｈによる通信に必要な情報）を取得し、Ｂｌｕｅｔｏｏｔｈ通信部１３を省電力モードから通信モードに移行させる通信制御部としてのタイミング生成回路１２を備える。
【００７７】
他の通信機器３０を通信機器１０に近づけることで、所定の情報が取得され、第２の通信部１８が省電力モードから通信モードに移行される。他の通信機器３０を通信機器１０に近づけるためには、他の通信機器３０を所有する作業者は、通信機器１０に近づく権限を有する必要がある。したがって、通信機器１０に近づく権限を有さない者により、通信機器１０に不正にアクセスされる可能性が低減されるので、高セキュリティ性を実現することができる。また、第２の通信部１８は、他の通信機器３０の接近に応じて所定の情報が取得されることで、通信モードに移行する。したがって、第２の通信部１８を他の通信機器３０からの電波を常に受信できる状態にしておく必要が無くないので、省電力化を実現することができる。
【００７８】
また、本実施形態においては、他の通信機器３０を通信機器１０に近づけ、第２の通信部１８による通信に必要な情報を取得してＢｌｕｅｔｏｏｔｈ通信部１３が通信モードに移行した後は、Ｂｌｕｅｔｏｏｔｈによる通信が可能な範囲内であれば、通信機器１０と他の通信機器３０とを離した状態でも、通信が可能である。そのため、作業者は、例えば、他の通信機器３０を手元に持ち、他の通信機器３０の画面を見たまま、通信機器１０との通信を行わせるといった操作が可能である。そのため、操作性を向上させることもできる。
【００７９】
（第２の実施形態）
図６は、本開示の第２の実施形態に係る通信機器１０Ａの構成例を示す図である。図６に示す通信機器１０Ａは、図１に示す通信機器１０と比較して、センサ部２１およびセンサ制御回路２２をさらに備える。
【００８０】
センサ部２１は、振動、温度あるいは圧力などの物理量を測定する。
【００８１】
センサ制御回路２２は、制御情報に基づき、センサ部２１を制御する。センサ制御回路２２は、例えば、センサ部２１の測定レンジ、センサの種類などを制御する。
【００８２】
センサ部２１を制御するための制御情報は、他の通信機器３０からＢｌｕｅｔｏｏｔｈによる通信により通信機器１０に送信することができる。演算回路１４は、Ｂｌｕｅｔｏｏｔｈ通信部１３を介して、他の通信機器３０から送信させてきた制御情報を受信すると、受信した制御情報を記憶媒体１５に記憶させる。センサ制御回路２２は、センサ部２１を制御する際に、記憶媒体１５に記憶されている制御情報に基づき、センサ部２１を制御する。
【００８３】
本実施形態に係る通信機器１０Ａによれば、ＮＦＣによる通信と比べて、高速・大容量通信が可能であり、操作性にも優れたＢｌｕｅｔｏｏｔｈによる通信により、他の通信機器３０から通信機器１０Ａに制御情報を送信することで、簡易にセンサ部２１を制御することができる。
【００８４】
なお、図７に示すように、通信機器１０Ａは、センサ部２１を備えておらず、外部に設けられたセンサ部２１を記憶媒体１５に記憶された制御情報に基づき制御してもよい。
【００８５】
上述の実施形態は代表的な例として説明したが、本開示の趣旨および範囲内で、多くの変更および置換が可能であることは当業者に明らかである。したがって、本開示は、上述の実施形態によって制限するものと解するべきではなく、特許請求の範囲から逸脱することなく、種々の変形および変更が可能である。例えば、実施形態の構成図に記載の複数の構成ブロックを１つに組み合わせたり、あるいは１つの構成ブロックを分割したりすることが可能である。
【符号の説明】
【００８６】
１０，１０Ａ，１００    通信機器
１１    ＮＦＣ通信部（第１の通信部）
１２    タイミング生成回路（通信制御部）
１３    Ｂｌｕｅｔｏｏｔｈ通信部
１４    演算回路（演算部）
１５，１０３    記憶媒体
１６，１０４    電源回路
１７，１０５    電池
１８    第２の通信部
２１    センサ部
２２    センサ制御回路
３０    他の通信機器
１０１    通信部
１０２    演算回路
【図１】
2020092395.tif 000003
【図２】
2020092395.tif 000004
【図３】
2020092395.tif 000005
【図４】
2020092395.tif 000006
【図５】
2020092395.tif 000007
【図６】
2020092395.tif 000008
【図７】
2020092395.tif 000009
【図８】
2020092395.tif 000010
【図９】
2020092395.tif 000011